(57)【要約】【課題】付着物が付着した付着領域における付着物付着前の情報を、閲覧者が少なくとも予測することができる画像処理装置、画像処理方法、および画像処理プログラムを提供する。【解決手段】露光量ｈ１での露光により、原稿に記載されている原稿情報を画像データＤ１として読み取り、第１の露光量よりも大きい第２の露光量での露光により、原稿を画像データＤ２として読み取り、第１の露光量以上であって第２の露光量未満の第３の露光量での露光により、原稿情報を原稿情報が記載された面の反対面から透かした情報を画像データＤ３として読み取り、画像データＤ２に基づいて、原稿情報が記載されている面に付着した付着物の付着領域を特定し、画像データＤ３から、特定された付着領域の画像データである画像データＤ４を抽出し、抽出された画像データＤ４を画像データＤ１に付加する。【選択図】        図１
2010010801.tif 000002
【特許請求の範囲】
【請求項１】
第１の露光量、前記第１の露光量よりも大きい第２の露光量、前記第１の露光量以上であって前記第２の露光量未満の第３の露光量の少なくともいずれかに露光量を調整する露光量調整手段と、
調整された露光量で原稿を露光する露光手段と、
前記第１の露光量での露光により前記原稿に記載されている原稿情報を第１の画像データとして読み取る第１の読取処理と、前記第２の露光量での露光により前記原稿を第２の画像データとして読み取る第２の読取処理と、前記第３の露光量での露光により前記原稿情報を前記原稿情報が記載された面の反対面から透かした情報を第３の画像データとして読み取る第３の読取処理と、を行う読取手段と、
前記第２の画像データに基づいて、前記原稿情報が記載されている面に付着した付着物の付着領域を特定する特定手段と、
前記第３の画像データから、前記特定手段により特定された付着領域の画像データである第４の画像データを抽出する抽出手段と、
前記抽出手段により抽出された前記第４の画像データを、前記第１の画像データに付加する付加手段と、を備えることを特徴とする画像処理装置。
【請求項２】
前記抽出手段により抽出された前記第４の画像データに対して、当該第４の画像データに基づく画像を反転させる編集を行う編集手段を更に備え、
前記付加手段は、前記編集手段により編集された前記第４の画像データを、前記第１の画像データに付加することを特徴とする請求項１に記載の画像処理装置。
【請求項３】
前記編集手段により編集された前記第４の画像データに対して、文字認識を行う文字認識手段を更に備え、
前記付加手段は、前記文字認識手段により文字認識された文字データを、前記第１の画像データに付加することを特徴とする請求項２に記載の画像処理装置。
【請求項４】
前記抽出手段により抽出された前記第４の画像データが文字を示すか絵柄を示すかを判別する文字絵柄判別手段を更に備え、
前記編集手段は、前記文字絵柄判別手段により文字を示すと判別された前記第４の画像データに対して、当該第４の画像データに基づく画像を反転させる編集を行い、
前記文字認識手段は、前記編集手段により編集された前記第４の画像データに対して、文字認識を行い、
前記付加手段は、前記文字認識手段により文字認識された文字データを、前記第１の画像データに付加することを特徴とする請求項３に記載の画像処理装置。
【請求項５】
前記付加手段により前記第１の画像データに付加される前記第４の画像データが白黒画像のデータであるかカラー画像のデータであるかを判別する白黒カラー判別手段と、
前記白黒カラー判別手段の判別結果に応じた圧縮処理を、前記付加手段により前記第１の画像データに付加される前記第４の画像データに対して行う圧縮手段と、を更に備え、
前記付加手段は、前記圧縮手段により圧縮された前記第４の画像データを、前記第１の画像データに付加することを特徴とする請求項１〜４のいずれか一つに記載の画像処理装置。
【請求項６】
前記圧縮手段は、前記白黒カラー判別手段に白黒画像のデータと判別された場合に、前記付加手段により前記第１の画像データに付加される前記第４の画像データを２値化することを特徴とする請求項５に記載の画像処理装置。
【請求項７】
前記白黒カラー判別手段の判別結果に応じて、所定の事項をユーザに報知する報知手段を更に備えることを特徴とする請求項５または６に記載の画像処理装置。
【請求項８】
前記付加手段により前記第４の画像データが付加された前記第１の画像データを出力する出力手段を更に備えることを特徴とする請求項１〜７のいずれか一つに記載の画像処理装置。
【請求項９】
前記特定手段は、前記付着物の付着領域を前記原稿情報の少なくとも一部を修正する修正材が付着した領域として特定することを特徴とする請求項１〜８のいずれか一つに記載の画像処理装置。
【請求項１０】
第１の露光量、前記第１の露光量よりも大きい第２の露光量、前記第１の露光量以上であって前記第２の露光量未満の第３の露光量の少なくともいずれかに露光量を調整する露光量調整ステップと、
調整された露光量で露光手段に原稿を露光させる露光ステップと、
前記第１の露光量での露光により前記原稿に記載されている原稿情報を第１の画像データとして読み取る第１の読取処理と、前記第２の露光量での露光により前記原稿を第２の画像データとして読み取る第２の読取処理と、前記第３の露光量での露光により前記原稿情報を前記原稿情報が記載された面の反対面から透かした情報を第３の画像データとして読み取る第３の読取処理と、を行う読取ステップと、
前記第２の画像データに基づいて、前記原稿情報が記載されている面に付着した付着物の付着領域を特定する特定ステップと、
前記第３の画像データから、前記特定ステップにより特定された付着領域の画像データである第４の画像データを抽出する抽出ステップと、
前記抽出ステップにより抽出された前記第４の画像データを、前記第１の画像データに付加する付加ステップと、を含むことを特徴とする画像処理方法。
【請求項１１】
請求項１０に記載された画像処理方法をコンピュータに実行させることを特徴とする画像処理プログラム。
【発明の詳細な説明】
【技術分野】
【０００１】
本発明は、画像処理装置、画像処理方法、および画像処理プログラムに関する。
【背景技術】
【０００２】
近年、ｅ−文書法の施行により、例えば、医療法に定められた「記録（処方箋）」や旅館業法に定められた「宿泊者名簿」等の保管が義務付けられている文書を、電子化された文書（以下、「電子文書」と称する）として保存することが認められるようになった。膨大な紙文書の電子化は、保管場所の削減に寄与するとともに、検索効率も向上することから、電子化に関わる種々の技術の需要は高まっている。
【０００３】
一方、電子文書は紙の原文と同様の法的効力を有するものであることから、そのような電子文書を原文の厳密なコピーとすることが要求される。即ち、紙文書に対して修正液または修正テープ等（以下、「修正液」と称する）で修正を行った場合、修正液の塗布箇所（以下、「修正痕」と称する）を電子文書に反映させることが要求される。
【０００４】
そのような文書電子化に関する技術として、例えば特許文献１に開示されるように、通
常の露光量よりも少ない露光量で読み取った画像において、飽和している領域を修正痕領
域と判定し、修正痕を強調表示する画像読取装置が知られている。
【０００５】
【特許文献１】特開２００６−２９５３０７号公報
【発明の開示】
【発明が解決しようとする課題】
【０００６】
しかしながら、特許文献１に開示された従来技術では、修正痕を電子文書に反映させることはできるものの、修正痕領域における修正前の情報を電子文書に反映させることはできなかった。特に正当な保存者によって原本の保存行為がなされなかった場合を想定すると、電子文書の電子保存後においても、修正痕領域における修正前の情報を少なくとも予測できるようにすることが望ましい。
【０００７】
本発明は、上記事情に鑑みてなされたものであり、付着物が付着した付着領域における付着物付着前の情報を、閲覧者が少なくとも予測することができる画像処理装置、画像処理方法、および画像処理プログラムを提供することを目的とする。
【課題を解決するための手段】
【０００８】
上述した課題を解決し、目的を達成するために、本発明の一態様にかかる画像処理装置は、第１の露光量、前記第１の露光量よりも大きい第２の露光量、前記第１の露光量以上であって前記第２の露光量未満の第３の露光量の少なくともいずれかに露光量を調整する露光量調整手段と、調整された露光量で原稿を露光する露光手段と、前記第１の露光量での露光により前記原稿に記載されている原稿情報を第１の画像データとして読み取る第１の読取処理と、前記第２の露光量での露光により前記原稿を第２の画像データとして読み取る第２の読取処理と、前記第３の露光量での露光により前記原稿情報を前記原稿情報が記載された面の反対面から透かした情報を第３の画像データとして読み取る第３の読取処理と、を行う読取手段と、前記第２の画像データに基づいて、前記原稿情報が記載されている面に付着した付着物の付着領域を特定する特定手段と、前記第３の画像データから、前記特定手段により特定された付着領域の画像データである第４の画像データを抽出する抽出手段と、前記抽出手段により抽出された前記第４の画像データを、前記第１の画像データに付加する付加手段と、を備えることを特徴とする。
【０００９】
また、本発明の別の態様にかかる画像処理方法は、第１の露光量、前記第１の露光量よりも大きい第２の露光量、前記第１の露光量以上であって前記第２の露光量未満の第３の露光量の少なくともいずれかに露光量を調整する露光量調整ステップと、調整された露光量で露光手段に原稿を露光させる露光ステップと、前記第１の露光量での露光により前記原稿に記載されている原稿情報を第１の画像データとして読み取る第１の読取処理と、前記第２の露光量での露光により前記原稿を第２の画像データとして読み取る第２の読取処理と、前記第３の露光量での露光により前記原稿情報を前記原稿情報が記載された面の反対面から透かした情報を第３の画像データとして読み取る第３の読取処理と、を行う読取ステップと、前記第２の画像データに基づいて、前記原稿情報が記載されている面に付着した付着物の付着領域を特定する特定ステップと、前記第３の画像データから、前記特定ステップにより特定された付着領域の画像データである第４の画像データを抽出する抽出ステップと、前記抽出ステップにより抽出された前記第４の画像データを、前記第１の画像データに付加する付加ステップと、を含むことを特徴とする。
【００１０】
また、本発明の別の態様にかかる画像処理プログラムは、上記した画像処理方法をコンピュータに実行させることを特徴とする。
【発明の効果】
【００１１】
本発明によれば、付着物が付着した原稿に記載されている原稿情報の画像データ（第１の画像データ）に、付着物が付着した付着領域における付着物付着前の情報を付着物が付着した面の反対面から透かした情報の画像データ（第４の画像データ）が付加されるため、閲覧者に付着物付着前の情報を少なくとも予測させることができるという効果を奏する。
【発明を実施するための最良の形態】
【００１２】
以下、添付図面を参照しながら、本発明にかかる画像処理装置、画像処理方法、および画像処理プログラムの最良な実施の形態を詳細に説明する。
【００１３】
（第１の実施の形態）
本発明の第１の実施の形態にかかる画像処理装置、および画像処理方法を、図１〜図６を参照しながら説明する。なお、本実施の形態では、本発明における画像処理装置を、コピー、ファックス、プリンタなどの複数の機能を一つの筐体に収納した複合機（ＭＦＰ：Multi Function Peripherals）に適用した例を示すが、本発明はこれに限定されるものではない。例えば、複写機、ファクシミリ装置、スキャナ装置などスキャナ機能を備えた装置であれば、いずれの装置にも本発明における画像処理装置を適用することができる。
【００１４】
また、本実施の形態の画像処理装置では、文字や絵柄等の原稿情報が印刷された原稿表面の読み取りと、文字や絵柄等の原稿情報が印刷されていない原稿裏面の読み取りとが行われ、原稿裏面の読み取りでは、原稿表面の原稿情報を裏面から透かした情報の読み取りが行われるものとする。また、原稿の読み取りは白黒モードで行われるものとする。
【００１５】
図１は、画像処理装置１００の構成を示すブロック図である。図１に示す画像処理装置１００は、原稿を露光する光の露光量を調整する露光量調整部１１０と、調整された露光量で原稿を露光する露光部１２０と、露光された原稿を読み取る読取部１３０と、読み取られた原稿（以下、「画像データ」と称する）に対して画像処理を施す画像処理部１４０と、画像処理モードに関するユーザからの入力を受け付ける画像処理モード入力受付部１６０と、画像処理が施された画像データを出力する出力部１７０と、を備える。
【００１６】
まず、図２を参照しながら、露光部１２０および読取部１３０について説明する。図２は、画像処理装置１００を適用したＭＦＰ２００を示す概略図である。なお、図２では、原稿の読み取りに用いられるＣＣＤ方式スキャナの構成のみを示しており、複写機やファクシミリ等、ＭＦＰに搭載され得るその他の構成についての図示を省略している。
【００１７】
図２に示すＭＦＰ２００は、筐体状のＭＦＰ本体部２１０と、ＭＦＰ本体部２１０の上部に取り付けられ、ＭＦＰ本体部２１０の上面において開閉する圧板２２０とを備える。
【００１８】
圧板２２０は、ＭＦＰ本体部２１０に対向する側において、白板２２１を備える。圧板２２０は、ＭＦＰ本体部２１０の上面に載置された原稿の全体を覆い、且つ原稿を白板２２１と本体部２１０との間に挟み込むように閉じられる。これにより、ＭＦＰ２００は、白板２２１と本体部２１０の上面との間で原稿を狭持し、外部からの光を遮断し、所定の露光量により確実に原稿を露光することができる。なお、原稿表面の情報を読み取る場合には、原稿の表面を下（図２に示す−ｙ軸方向）に向けた状態で、原稿を白板２２１と本体部２１０との間に閉じ、原稿裏面の情報を読み取る場合には、原稿の裏面を下（図２に示す−ｙ軸方向）に向けた状態で、原稿を白板２２１と本体部２１０との間に閉じる。つまり本実施の形態では、原稿両面の情報を読み取るために、ユーザは原稿を手動で置き換える必要がある。
【００１９】
ＭＦＰ本体部２１０は、原稿が載置されるコンタクト・ガラス２１１と、コンタクト・ガラス２１１を介して所定の露光量で原稿を露光する原稿照明ランプ２１２と、原稿照明ランプ２１２により露光された原稿からの反射光を反射する第１のミラー２１３と、第１のミラー２１３により反射された光を反射する第２のミラー２１４および第３のミラー２１５と、第２のミラー２１４および第３のミラー２１５により反射された光を集光する集光レンズ２１６と、集光レンズ２１６により集光された光を読み取るＣＣＤ２１７と、を備える。
【００２０】
コンタクト・ガラス２１１は、ＭＦＰ本体部２１０の上面に配置されており、原稿の載置台として用いられるとともに、照明光および反射光の少なくとも一方を透過する。
【００２１】
原稿照明ランプ２１２は、原稿１ライン分を同時に照明可能な長さを有し、コンタクト・ガラス２１１を介して所定の露光量により原稿を露光する。なお、「原稿１ライン分」とは、例えばＣＣＤ２１７としてリニアＣＣＤを用いた場合、リニアＣＣＤが一度に読み取れる範囲に対応する原稿上の領域をいう。第１のミラー２１３は、露光された原稿からの反射光を反射する。なお、原稿照明ランプ２１２および第１のミラー２１３は、画像処理装置１００に備えられる露光部１２０に対応する。原稿照明ランプ２１２および第１のミラー２１３は、コンタクト・ガラス２１１上に載置された原稿に平行となる方向（図２に示すｘ軸方向）へ移動可能に形成されてり、原稿を１ラインずつ走査しながら移動する。
【００２２】
第２のミラー２１４および第３のミラー２１５は、露光された原稿からの光を集光レンズ２１６へと導く。なお、これら複数のミラーを用いることにより、ＭＦＰ本体部２１０の厚さ（図２に示すｙ軸方向における厚さ）を減少させることが可能となる。
【００２３】
集光レンズ２１６は、第２のミラー２１４および第３のミラー２１５により反射された光をＣＣＤ２１７に集光する。
【００２４】
ＣＣＤ２１７は、画像処理装置１００に備えられる読取部１３０に対応し、集光レンズ２１６により集光された光を読み取る。なお、本実施の形態ではＣＣＤ２１７としてリニアＣＣＤを用いているが、ＣＣＤ２１７はこれに限定されず、例えば通常のＣＣＤを用いることもできる。ここでいう「通常のＣＣＤ」とは、原稿全体を一度に読み取ることが可能な画素数を有するＣＣＤであり、このようなＣＣＤを用いた場合、原稿に対して原稿照明ランプ２１２および第１のミラー２１３を移動させる必要はなくなる。
【００２５】
次に、図３および図４を参照しながら、露光量調整部１１０および画像処理モード入力受付部１６０について説明する。
【００２６】
露光量調整部１１０は、原稿Ｄを露光する光の露光量を調整する。従って、露光部１２０は、通常の露光量（以下、「露光量ｈ１」と称する）と、通常の露光量と異なる露光量とで、原稿Ｄを露光することが可能である。ここでいう「通常の露光量」とは、原稿Ｄの表面の原稿情報を画像データとして読み取ることができる露光量であるとともに、原稿Ｄの表面の原稿情報を原稿Ｄの裏面から透かした情報を画像データとして読み取ることのできる露光量であって、修正痕領域の特定が困難なものとして一般的に知られる露光量である。また本実施の形態では、通常の露光量と異なる露光量として、露光量ｈ１よりも大きな露光量（以下、露光量ｈ２と称する）を用いている。なお、露光量ｈ１、露光量ｈ２の値は、画像処理装置１００に備えられているメモリ等（図示省略）に予め格納されている。
【００２７】
本実施の形態では、読取部１３０が原稿Ｄの表面の情報を読み取る場合には、露光部１２０は、露光量ｈ１での露光と、露光量ｈ２での露光を行い、読取部１３０が原稿Ｄの裏面の情報を読み取る場合には、露光部１２０は、露光量ｈ１での露光を行う。なお、読取部１３０が原稿Ｄの裏面の情報を読み取る場合には、露光部１２０は、露光量ｈ１以上の露光量であって露光量ｈ２以下の露光量で露光を行うようにしてもよい。このようにすると、原稿表面の原稿情報を裏面から透かした情報をより鮮明に読み取ることが可能となる。
【００２８】
図３は、露光量ｈ２で原稿を露光した際の光の透過状態を示す概略図であり、白板２２１とコンタクト・ガラス２１１との間に原稿Ｄが挟み込まれた状態を示している。コンタクト・ガラス２１１から白板２２１へ向かう矢印は、原稿照明ランプ２１２から照射された照射光の光路を示しており、白板２２１からコンタクト・ガラス２１１へ向かう矢印は、原稿Ｄまたは白板２２１からの反射光の光路を示している。また、原稿Ｄには、修正液が塗布されている修正痕領域Ｗと、切り貼り紙Ｐとが示されている。なお、図３では、光の透過状態を説明する便宜上、原稿Ｄとコンタクト・ガラス２１１との間に距離を設けているとともに、照明光および反射光を共に直線状に示している。
【００２９】
露光量ｈ２の照射光は、図３の矢印に示されるように、原稿Ｄおよび切り貼り紙Ｐを透過するものの、修正痕領域Ｗについては透過しない。これは、修正痕領域Ｗが、原稿Ｄおよび切り貼り紙Ｐよりも大きな密度を有した領域であることに起因している。
【００３０】
図４は、露光量ｈ２でＣＣＤ２１７の画素に読み取られた原稿Ｄの１ライン分の濃度を示すグラフである。図４では、ｘ軸は、ＣＣＤ２１７の１ライン上の画素位置を示し、ｙ軸は、ＣＣＤ２１７により検出された濃度を示す。なお、それぞれの画素は、白板２２１からの反射光の濃度を最大値として検出しており、ここでは白板２２１からの反射光の濃度を「飽和濃度」として定義する。
【００３１】
図４に示すように、領域Ａに属する画素により検出された濃度は、飽和濃度と同等の値を示している（飽和している）。一方、領域Ｂに属する画素により検出された濃度は、飽和濃度に比べて値が低くなっている。これは図３に示したように、修正痕領域Ｗにおいては、照射光が修正痕領域Ｗを透過せず、照射光が白板まで達しないためである。従って、露光量ｈ２により、修正痕領域を他の領域と区別することが可能となる。
【００３２】
以上のように、露光量ｈ２を用いることにより、切り貼り紙を貼った領域を検知することなく、修正痕領域のみを検知することが可能となる。
【００３３】
画像処理モード入力受付部１６０は、画像処理モードに関するユーザからの入力を受け付け、上述した修正痕領域の特定を行う特殊画像処理モードと、修正痕領域の特定を行わない通常画像処理モードとの中から、ユーザから入力された画像処理モードの選択を行う。なお、通常画像処理モードが選択された場合、画像処理装置１００は、原稿Ｄを露光量ｈ１で露光して原稿Ｄの表面の原稿情報を画像データとして読み取る処理のみを行う。
【００３４】
また画像処理モード入力受付部１６０は、選択した画像処理モードを露光量調整部１１０および画像処理部１４０に通知する。そして、露光量調整部１１０および画像処理部１４０では、通知された画像処理モードに応じた処理を行う。
【００３５】
次に、図５を参照しながら、画像処理部１４０について説明する。図５は、画像処理部１４０の具体的な構成を示すブロック図である。なお以下では、原稿Ｄを露光量ｈ１で露光して読み取られた原稿Ｄの表面の原稿情報の画像データを画像データＤ１とし、原稿Ｄを露光量ｈ２で露光して読み取られた原稿Ｄの表面の画像データを画像データＤ２とし、原稿Ｄを露光量ｈ１で露光して読み取られた画像データであって、原稿Ｄの表面の原稿情報を原稿Ｄの裏面から透かした情報の画像データを画像データＤ３とする。
【００３６】
図５に示すように、画像処理部１４０は、特定部１５０と、地肌濃度決定部１４１と、抽出部１４２と、γ変換部１４３と、フィルタ処理部１４４と、地肌補正部１４５と、変倍処理部１４６と、圧縮処理部１４７と、付加部１４８と、を備える。
【００３７】
地肌濃度決定部１４１には、画像データＤ１が入力される。そして地肌濃度決定部１４１は、入力された画像データＤ１の濃度情報を取得し、その濃度情報に基づき原稿の地肌濃度を決定する。例えば、地肌濃度決定部１４１は、ｘ軸を濃度とし、ｙ軸を画素数としたヒストグラムを用いて画像データＤ１を表すことにより地肌濃度を決定する。通常、原稿の地肌が占める面積は、地肌以外の面積（文字、絵柄、修正痕等が占める面積）よりも大きいので、画像データＤ１を示すヒストグラムにおいては、最大画素数に対応する濃度が地肌濃度を表すピーク値Ｖとして決定される。
【００３８】
特定部１５０には、特殊画像処理モードの場合、画像データＤ２が入力される。そして特定部１５０は、入力された画像データＤ２の濃度情報を取得し、飽和濃度に比べて値が低くなっている領域を修正痕領域として特定する。なお、通常画像処理モードの場合には、画像データＤ２は入力されず、修正痕領域の特定は行われない。
【００３９】
抽出部１４２には、特殊画像処理モードの場合、画像データＤ３が入力され、特定部１５０から修正痕領域の位置情報が入力される。そして抽出部１４２は、修正痕領域の位置情報に基づいて、画像データＤ３から修正痕領域の画像データである画像データＤ４を抽出する。なお、通常画像処理モードの場合には、画像データＤ３および修正痕領域の位置情報は入力されず、画像データＤ４の抽出は行われない。
【００４０】
γ変換部１４３には、特殊画像処理モードの場合、地肌濃度決定部１４１から画像データＤ１が入力され、抽出部１４２から画像データＤ４が入力され、特定部１５０から修正痕領域情報が入力される。そしてγ変換部１４３は、画像データＤ１、Ｄ４の濃淡値のγ変換を行うとともに、修正痕領域情報に基づいて、画像データＤ１の修正痕を見やすくするためのγ変換も行う。なお、通常画像処理モードの場合には、画像データＤ１が入力され、画像データＤ１の濃淡値のγ変換を行う。
【００４１】
フィルタ処理部１４４には、特殊画像処理モードの場合、γ変換部１４３から画像データＤ１、Ｄ４が入力される。そしてフィルタ処理部１４４は、画像データＤ１、Ｄ４に対して、文字または絵柄の平滑化等の画素ごとの濃淡変換だけではなく、周辺の画素の濃淡値まで考慮した変換を行う。なお、通常画像処理モードの場合には、画像データＤ１が入力され、画像データＤ１に対して文字または絵柄の平滑化等の画素ごとの濃淡変換を行う。
【００４２】
地肌補正部１４５には、特殊画像処理モードの場合、フィルタ処理部１４４から画像データＤ１、Ｄ４が入力され、特定部１５０から修正痕領域情報が入力される。そして地肌補正部１４５は、画像データＤ１、Ｄ４に対して、地肌に対する濃淡の補正を行うとともに、修正痕領域情報に基づいて、修正痕を正確に確認できるような地肌補正を行う。なお、通常画像処理モードの場合には、画像データＤ１が入力され、画像データＤ１に対して地肌に対する濃淡の補正を行う。
【００４３】
変倍処理部１４６には、特殊画像処理モードの場合、地肌補正部１４５から画像データＤ１、Ｄ４が入力される。そして変倍処理部１４６は、画像データＤ１、Ｄ４に対して所定の変倍処理を行う。なお、通常画像処理モードの場合には、画像データＤ１が入力され、画像データＤ１に対して所定の変倍処理を行う。
【００４４】
圧縮処理部１４７には、特殊画像処理モードの場合、変倍処理部１４６から画像データＤ１、Ｄ４が入力される。そして圧縮処理部１４７は、変倍処理された画像データＤ１、Ｄ４を所定の圧縮率にて圧縮する。なお、通常画像処理モードの場合には、画像データＤ１が入力され、画像データＤ１を所定の圧縮率にて圧縮する。
【００４５】
付加部１４８には、特殊画像処理モードの場合、圧縮処理部１４７から画像データＤ１、Ｄ４が入力される。そして付加部１４８は、画像データＤ１に対して画像データＤ４を付加して、出力部１７０へ送る。具体的には、画像データＤ４のバイナリデータを画像データＤ１のヘッダ情報に付加したり、画像データＤ４のＲＧＢまたはＣＭＹＫデータの各版のチャンネルと独立したアルファチャンネルを新たに用意し、その情報を画像データＤ１に付加保存したり、その他公知の方法で画像データＤ４を画像データＤ１に付加して、出力部１７０へ送る。なお、通常画像処理モードの場合には、画像データＤ１が入力されるが、上記処理を行わずに、出力部１７０へ送る。
【００４６】
図１の出力部１７０は、所定の処理が施された画像データＤ１を、ＭＦＰ２００に備えられた図示しない所定の装置へ転送する。例えば、ＭＦＰ２００に備えられる図示しない印刷部は、画像処理後のデータの印刷が要求された場合、出力部１７０から転送された画像データＤ４が付加された画像データＤ１に基づく画像を印刷する。また例えば、画像データＤ４が付加された画像データＤ１をデータとして保存することが要求された場合、出力部１７０は、画像データＤ４が付加された画像データＤ１を図示しない所定の格納部へ格納する。つまり出力部１７０は、ＭＦＰ２００がスキャナ、印刷機、およびファクシミリ等の種々の機能を有することから、ユーザの要求に応じた出力先に画像データＤ４が付加された画像データＤ１を出力する。
【００４７】
次に、図６を参照しながら、画像処理装置１００で行われる処理の処理手順について説明する。図６は、特殊画像処理モードにおける画像処理装置１００の処理手順を示すフローチャートである。
【００４８】
まず、露光量調整部１１０は露光量を露光量ｈ１に調整する。そして露光部１２０が、原稿表面の情報を読み取る状態にセットされた原稿を露光量ｈ１で露光することにより、読取部１３０は画像データＤ１を読み取る。続いて、露光量調整部１１０は露光量を露光量ｈ２に調整する。そして露光部１２０が、原稿表面の情報を読み取る状態にセットされた原稿を露光量ｈ２で露光することにより、読取部１３０は画像データＤ２を読み取る（ステップＳ１０）。
【００４９】
次いで、特定部１５０は、画像データＤ２の濃度情報から、飽和濃度に比べて値が低くなっている領域を原稿の修正痕領域として特定する（ステップＳ２０）。
【００５０】
次いで、画像処理部１４０は、画像データＤ２から特定された修正痕領域の修正痕領域情報などに基づいて、画像データＤ１に対して画像処理（地肌濃度決定処理、γ変換処理、フィルタ処理・地肌補正処理・変倍処理・圧縮処理）を施す（ステップＳ３０）。なお、画像処理が施された画像データＤ１は、画像処理装置１００に備えられているメモリ等（図示省略）に一時的に格納される。
【００５１】
次いで、露光量調整部１１０は露光量を露光量ｈ１に調整する。そして露光部１２０が、原稿裏面の情報を読み取る状態にセットし直された原稿を露光量ｈ１で露光することにより、読取部１３０は画像データＤ３を読み取る（ステップＳ４０）。
【００５２】
次いで、抽出部１４２は、画像データＤ２から特定された修正痕領域の位置情報に基づいて、画像データＤ３から修正痕領域の画像データである画像データＤ４を抽出する（ステップＳ５０）。
【００５３】
次いで、画像処理部１４０は、画像データＤ４に対して画像処理（γ変換処理、フィルタ処理・地肌補正処理・変倍処理・圧縮処理）を施す（ステップＳ６０）。
【００５４】
次いで、付加部１４８は、画像処理が施された画像データＤ１をメモリ等から読み出し、読み出された画像データＤ１に画像処理が施された画像データＤ４を付加する（ステップＳ７０）。
【００５５】
次いで、出力部１７０は、画像データＤ４が付加された画像データＤ１を出力する（ステップＳ８０）。
【００５６】
このように本実施の形態では、修正液が塗布されている原稿を電子化する場合に、修正液が塗布された領域における修正前の情報を反転させた情報（修正液が塗布された領域における修正前の情報を修正液が塗布された面の反対面から透かした情報）が合わせて電子化されるため、当該情報をユーザに提供でき、修正液が塗布された領域における修正前の情報をユーザに推測・確認させることができる。
【００５７】
なお本実施の形態では、白黒モードによる画像処理を行う画像処理装置を例示しているが、本発明はこれに限定されず、カラーモードによる画像処理を行う画像処理装置であってもよい。この場合、原稿からの光を三原色（ＲＧＢ）に分解するカラー・フィルタ等を図２に示されるＭＦＰ２００に備えるとともに、決められた特性の色空間のＲＧＢデータに変換する色変換部等を画像処理部１４０に備えればよい。
【００５８】
また本実施の形態では、ＣＣＤ方式スキャナを用いているが、本発明はこれに限定されず、例えばＣＩＳ方式スキャナを用いても良い。
【００５９】
次に、図７を参照しながら、ＭＦＰ２００のハードウェア構成について説明する。図７は、ＭＦＰ２００のハードウェア構成を示すブロック図である。
【００６０】
読取り装置１は原稿を読み取ることで原稿の濃淡情報を取得し、ＲＧＢ各８ビットの画像データを生成し出力する。
【００６１】
画像データ処理装置２は、読取り装置１から入力された画像データに対し、後述する画像処理を施し、画像処理が施された画像データを出力する。
【００６２】
バス制御装置３は、画像処理装置で必要な画像データや制御コマンド等各種データのやり取りを行う。
【００６３】
ＨＤＤ４は、画像データＤ１、および画像データＤ４を記憶する記憶装置である。
【００６４】
ＣＰＵ５は、画像処理装置の制御全体を司るマイクロプロセッサである。
【００６５】
メモリ６は、ＣＰＵ５が画像処理装置の制御を行う際に、プログラムや中間処理データなどを一時的に記憶するために使用される揮発性メモリである。
【００６６】
プロッタＩ／Ｆ装置７は、ＣＰＵ５からＣＭＹＫの画像データを受け取り、プロッタ装置８の専用Ｉ／Ｆに出力する。プロッタ装置８はＣＭＹＫの画像データを受け取ると、レーザービームを用いた電子写真プロセスなどにより、転写紙に画像出力する。
【００６７】
Ｓ.Ｂ.１２は、South Bridgeと呼ばれるバスのブリッジ機能を汎用回路化したものである。
【００６８】
ＲＯＭ１３は、ＣＰＵ５が画像処理装置の制御を行う際のプログラムが格納されるメモリである。
【００６９】
操作表示装置９は、画像処理装置とユーザとの間のインターフェースとなる部分で、ＬＣＤ（液晶表示装置）とキースイッチから構成され、装置の各種状態や操作方法をＬＣＤに表示し、ユーザからのキースイッチ入力を検知する。なお、画像処理モードに関するユーザからの入力は、操作表示装置９から行われる。
【００７０】
回線Ｉ／Ｆ装置１０は、ＦＡＸ１４との間で画像データの送受信を行う。
【００７１】
外部Ｉ／Ｆ装置１１は、ＰＣ１５との間でネットワーク（イーサネット（登録商標））を介して各種制御や画像データの入出力を行う。
【００７２】
内部スピーカ装置１７は、操作表示装置９に対するユーザの操作等に従って音声や特定の警告音を出力する。
【００７３】
なお、本実施の形態の画像処理装置１００で実行されるプログラムは、ＲＯＭ等に予め組み込まれて提供される。また本実施の形態の画像処理装置１００で実行されるプログラムを、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００７４】
また、本実施の形態の画像処理装置１００で実行されるプログラムを、インターネット等のネットワークに接続されたコンピュータ上に格納し、ネットワーク経由でダウンロードさせることにより提供するように構成してもよい。また、本実施形態の画像処理装置１００で実行されるプログラムをインターネット等のネットワーク経由で提供または配布するように構成してもよい。
【００７５】
また、本実施の形態の画像処理装置１００で実行されるプログラムは、上述した各部（露光量調整部、画像処理部、画像処理モード入力受付部、特定部、地肌濃度決定部、抽出部、γ変換部、フィルタ処理部、地肌補正部、変倍処理部、圧縮処理部、付加部等）を含むモジュール構成となっており、実際のハードウェアとしてはＣＰＵ（プロセッサ）が上記ＲＯＭからプログラムを読み出して実行することにより上記各部が主記憶装置上にロードされ、露光量調整部、画像処理部、画像処理モード入力受付部、特定部、地肌濃度決定部、抽出部、γ変換部、フィルタ処理部、地肌補正部、変倍処理部、圧縮処理部、付加部等が主記憶装置上に生成されるようになっている。
【００７６】
（第２の実施の形態）
次に、図８、図９を参照しながら、第２の実施の形態にかかる画像処理装置について説明する。本実施の形態にかかる画像処理装置は、画像データＤ３から抽出された画像データＤ４に対して編集処理を行う点で、第１の実施の形態と相違する。従って本実施の形態では、第１の実施の形態との相違点の説明を主に行い、第１の実施の形態で既に説明した内容については説明を省略する。
【００７７】
図８は、本実施の形態の画像処理装置１１００における画像処理部１１４０の具体的な構成を示すブロック図である。画像処理部１１４０は、編集部１１８０が新たに備えられた点で、第１の実施の形態の画像処理部１４０と相違する。なお、第１の実施の形態と同様の名称・符号を付した構成要素については、第１の実施の形態と同様の機能を有するものとし、その説明を省略する。
【００７８】
編集部１１８０には、特殊画像処理モードの場合、抽出部１４２から画像データＤ４が入力される。そして編集部１１８０は、画像データＤ４に対して、画像データＤ４に基づく画像の左右あるいは上下を反転する反転処理や、画像データＤ４に基づく画像を回転する回転処理などの編集処理を行い、編集処理が行われた画像データＤ４をγ変換部１４３に送る。但し、回転処理は必要に応じて行えば足り、必ずしも行う必要はない。
【００７９】
図９は、本実施の形態の特殊画像処理モードにおける画像処理装置の処理手順を示すフローチャートである。
【００８０】
まず、画像データＤ１、Ｄ２の読み取りから画像データＤ４の抽出まで（ステップＳ１０〜ステップＳ５０）、第１の実施の形態と同様の処理が行われる。
【００８１】
ステップＳ５０において画像データＤ３から画像データＤ４が抽出されると、編集部１１８０は、画像データＤ４に対して、画像データＤ４に基づく画像の左右あるいは上下を反転する反転処理などの編集処理を行う（ステップＳ５２）。
【００８２】
以下、画像データＤ４に対する画像処理から画像データＤ４が付加された画像データＤ１の出力まで（ステップＳ６０〜ステップＳ８０）、第１の実施の形態と同様の処理が行われる。
【００８３】
このように本実施の形態では、修正液が塗布された領域における修正前の情報を反転させた情報（修正液が塗布された領域における修正前の情報を修正液が塗布された面の反対面から透かした情報）を反転させているため、修正液が塗布された領域における修正前の情報をユーザが可読可能な状態で電子化することができる。
【００８４】
（第３の実施の形態）
次に、図１０、図１１を参照しながら、第３の実施の形態にかかる画像処理装置について説明する。本実施の形態にかかる画像処理装置は、編集処理が行われた画像データＤ４に対して文字認識処理を行う点で、第２の実施の形態（説明を省略した箇所については第１の実施の形態、以下同様）と相違する。従って本実施の形態では、第２の実施の形態との相違点の説明を主に行い、第２の実施の形態で既に説明した内容については説明を省略する。
【００８５】
図１０は、本実施の形態の画像処理装置２１００における画像処理部２１４０の具体的な構成を示すブロック図である。画像処理部２１４０は、文字認識部２１８２が新たに備えられた点で、第２の実施の形態の画像処理部１１４０と相違する。またこの相違に伴い、付加部２１４８が行う処理も第２の実施の形態の付加部１４８と相違する。なお、第２の実施の形態と同様の名称・符号を付した構成要素については、第２の実施の形態と同様の機能を有するものとし、その説明を省略する。
【００８６】
文字認識部２１８２には、特殊画像処理モードの場合、圧縮処理部１４７から画像データＤ１、Ｄ４が入力される。そして文字認識部２１８２は、画像データＤ４に対して、文字認識処理を行う。具体的には文字認識部２１８２は、ＯＣＲ（Optical Character Reader）機能を有しており、画像データＤ４から手書き文字や印字された文字を光学的に読み取り、予め用意されたパターンとの照合により文字を特定し、特定された文字の文字データを入力する。ＯＣＲの手法としては、例えば特許第３９５５５１５等に記載されている方法など公知の方法を採用することができる。
【００８７】
そして文字認識部２１８２は、文字認識処理により文字の認識ができた場合には、認識した文字の文字データを付加部２１４８に送り、文字認識処理により文字の認識ができなかった場合には、画像データＤ４を付加部２１４８に送る。なお、画像データＤ１については文字認識処理を行わずに、付加部２１４８に送る。また、通常画像処理モードの場合には、画像データＤ１が入力されるが、文字認識処理を行わずに、付加部２１４８に送る。但し、画像データＤ１に対して文字認識処理を行うようにしてもよい。
【００８８】
付加部２１４８には、特殊画像処理モードの場合、圧縮処理部１４７から画像データＤ１が入力され、文字認識部２１８２が文字認識した場合には、認識した文字の文字データが入力され、文字認識部２１８２が文字認識できなかった場合には、画像データＤ４が入力される。そして付加部２１４８は、文字認識部２１８２から認識した文字の文字データが入力された場合には、画像データＤ１に対して当該文字データを付加して、出力部１７０へ送り、文字認識部２１８２から画像データＤ４が入力された場合には、画像データＤ１に対して画像データＤ４を付加して、出力部１７０へ送る。なお、通常画像処理モードの場合には、画像データＤ１が入力されるが、上記処理を行わずに、出力部１７０へ送る。
【００８９】
図１１は、本実施の形態の特殊画像処理モードにおける画像処理装置の処理手順を示すフローチャートである。
【００９０】
まず、画像データＤ１、Ｄ２の読み取りから画像データＤ４の画像処理まで（ステップＳ１０〜ステップＳ６０）、第２の実施の形態と同様の処理が行われる。
【００９１】
ステップＳ６０において編集後の画像データＤ４に対して画像処理が施されると、文字認識部２１８２は、画像処理が施された画像データＤ４に対して文字認識処理を行う（ステップＳ６２）。
【００９２】
次いで、文字認識部２１８２は、画像処理が施された画像データＤ４に対して文字認識処理を行う（ステップＳ６２）。
【００９３】
次いで、付加部２１４８は、文字認識処理により文字が認識された場合には、画像処理が施された画像データＤ１をメモリ等から読み出し、認識された文字の文字データを付加する（ステップＳ６３でＹｅｓ、ステップＳ７２）。そして、出力部１７０は、文字データが付加された画像データＤ１を出力する（ステップＳ８２）。
【００９４】
一方、文字認識処理により文字が認識されなかった場合には（ステップＳ６３でＮｏ）、画像データＤ１に対する画像データＤ４の付加から画像データＤ４が付加された画像データＤ１の出力まで（ステップＳ７０、ステップＳ８０）、第２の実施の形態と同様の処理が行われる。
【００９５】
このように本実施の形態では、修正液が塗布された領域における修正前の情報が文字である場合には、当該文字の文字データが電子化されるため、修正液が塗布された領域における修正前の情報のデータの容量を削減して電子化することができる。
【００９６】
（第４の実施の形態）
次に、図１２、図１３を参照しながら、第４の実施の形態にかかる画像処理装置について説明する。本実施の形態にかかる画像処理装置は、画像データＤ３から抽出された画像データＤ４に対して文字絵柄判別処理を行う点で、第３の実施の形態（説明を省略した箇所については第１、第２の実施の形態、以下同様）と相違する。従って本実施の形態では、第３の実施の形態との相違点の説明を主に行い、第３の実施の形態で既に説明した内容については説明を省略する。
【００９７】
図１２は、本実施の形態の画像処理装置３１００における画像処理部３１４０の具体的な構成を示すブロック図である。画像処理部３１４０は、文字絵柄判別部３１８４が新たに備えられた点で、第３の実施の形態の画像処理部２１４０と相違する。またこの相違に伴い、圧縮処理部３１４７、文字認識部３１８２が行う処理も第３の実施の形態の圧縮処理部１４７、文字認識部２１８２と相違する。なお、第３の実施の形態と同様の名称・符号を付した構成要素については、第３の実施の形態と同様の機能を有するものとし、その説明を省略する。
【００９８】
文字絵柄判別部３１８４には、特殊画像処理モードの場合、抽出部１４２から画像データＤ４が入力される。そして文字絵柄判別部３１８４は、画像データＤ４に対して、文字を示すか絵柄を示すかを判別する文字絵柄判別処理を行い、判別結果と画像データＤ４とを編集部１１８０に送る。文字絵柄判別部３１８４の判別手法は、公知の方法を採用することができる。
【００９９】
圧縮処理部３１４７には、特殊画像処理モードの場合、変倍処理部１４６から画像データＤ１、Ｄ４および文字絵柄判別部３１８４の判別結果が入力される。そして圧縮処理部３１４７は、変倍処理された画像データＤ１、Ｄ４を所定の圧縮率にて圧縮する。例えば圧縮処理部３１４７は、文字絵柄判別部３１８４の判別結果が文字を示す場合には、画像データＤ４を２値化し、文字絵柄判別部３１８４の判別結果が絵柄（例えば写真）を示す場合には、ＪＰＥＧ、ＰＮＧ等の圧縮処理を行う。なお、通常画像処理モードの場合には、画像データＤ１が入力され、画像データＤ１を所定の圧縮率にて圧縮する。
【０１００】
文字認識部３１８２には、特殊画像処理モードの場合、圧縮処理部３１４７から画像データＤ１、Ｄ４および文字絵柄判別部３１８４の判別結果が入力される。そして文字認識部３１８２は、文字絵柄判別部３１８４の判別結果が文字を示す場合に、画像データＤ４に対して文字認識処理を行う。なお、文字絵柄判別部３１８４の判別結果が絵柄を示す場合には、文字認識処理を行わずに画像データＤ４を付加部２１４８に送る。
【０１０１】
そして文字認識部３１８２は、文字認識処理により文字の認識ができた場合には、認識した文字の文字データを付加部２１４８に送り、文字認識処理により文字の認識ができなかった場合には、画像データＤ４を付加部２１４８に送る。
【０１０２】
図１３は、本実施の形態の特殊画像処理モードにおける画像処理装置の処理手順を示すフローチャートである。
【０１０３】
まず、画像データＤ１、Ｄ２の読み取りから画像データＤ４の抽出まで（ステップＳ１０〜ステップＳ５０）、第３の実施の形態と同様の処理が行われる。
【０１０４】
ステップＳ５０において画像データＤ３から画像データＤ４が抽出されると、文字認識部３１８２は、画像データＤ４に対して、文字を示すか絵柄を示すかを判別する文字絵柄判別処理を行う（ステップＳ５１）。
【０１０５】
次いで、画像データＤ４の編集処理から画像データＤ４の画像処理まで（ステップＳ５２、ステップＳ６０）、第３の実施の形態と同様の処理が行われる。
【０１０６】
ステップＳ６０において編集後の画像データＤ４に対して画像処理が施されると、文字認識部３１８２は、文字絵柄判別処理の判別結果が文字を示す場合に、画像処理が施された画像データＤ４に対して文字認識処理を行う（ステップＳ６１でＹｅｓ、ステップＳ６２）。
【０１０７】
そして、文字認識処理により文字が認識された場合には（ステップＳ６３でＹｅｓ）、画像データＤ１に対する文字データの付加から文字データが付加された画像データＤ１の出力まで（ステップＳ７２、ステップＳ８２）、第３の実施の形態と同様の処理が行われる。
【０１０８】
一方、文字認識処理により文字が認識されなかった場合（ステップＳ６３でＮｏ）、あるいは文字絵柄判別処理の判別結果が絵柄を示す場合（ステップＳ６１でＮｏ）には、画像データＤ１に対する画像データＤ４の付加から画像データＤ４が付加された画像データＤ１の出力まで（ステップＳ７０、ステップＳ８０）、第３の実施の形態と同様の処理が行われる。
【０１０９】
このように本実施の形態では、修正液が塗布された領域における修正前の情報が文字である場合のみ文字認識処理が行われるため、画像処理の処理速度を向上することができる。
【０１１０】
（第５の実施の形態）
次に、図１４、図１５を参照しながら、第５の実施の形態にかかる画像処理装置について説明する。本実施の形態にかかる画像処理装置は、画像データＤ３から抽出された画像データＤ４に対して白黒カラー判別処理を行う点で、第１の実施の形態と相違する。従って本実施の形態では、第１の実施の形態との相違点の説明を主に行い、第１の実施の形態で既に説明した内容については説明を省略する。
【０１１１】
図１４は、本実施の形態の画像処理装置４１００における画像処理部４１４０の具体的な構成を示すブロック図である。画像処理部４１４０は、白黒カラー判別部４１８６が新たに備えられた点で、第１の実施の形態の画像処理部１４０と相違する。またこの相違に伴い、圧縮処理部４１４７が行う処理も第１の実施の形態の圧縮処理部１４７と相違する。なお、第１の実施の形態と同様の名称・符号を付した構成要素については、第１の実施の形態と同様の機能を有するものとし、その説明を省略する。
【０１１２】
白黒カラー判別部４１８６には、特殊画像処理モードの場合、抽出部１４２から画像データＤ４が入力される。そして白黒カラー判別部４１８６は、画像データＤ４が白黒画像であるか、カラー画像であるかを判別する白黒カラー判別処理を行い、判別結果と画像データＤ４とをγ変換部１４３に送る。具体的には白黒カラー判別部４１８６は、ＡＣＳ（Auto Color Select）機能を有しており、画像データＤ４のＲＧＢデータそれぞれの値が同等の値であれば、画像データＤ４を白黒画像と判定し、ＲＧＢデータそれぞれの値がある程度異なった値であれば、画像データＤ４をカラー画像（詳細には、カラー画像が含まれている）と判定する。なお、白黒カラー判別処理は、公知の方法を採用してもよい。
【０１１３】
圧縮処理部４１４７には、特殊画像処理モードの場合、変倍処理部１４６から画像データＤ１、Ｄ４および白黒カラー判別部４１８６の判別結果が入力される。そして圧縮処理部４１４７は、変倍処理された画像データＤ１、Ｄ４を所定の圧縮率にて圧縮する。例えば圧縮処理部４１４７は、白黒カラー判別部４１８６の判別結果がカラー画像を示す場合には、画像データＤ４をＪＰＥＧ、ＰＮＧ等で圧縮し、白黒カラー判別部４１８６の判別結果が白黒画像を示す場合には、画像データＤ４を２値化する。なお、通常画像処理モードの場合には、画像データＤ１が入力され、画像データＤ１を所定の圧縮率にて圧縮する。
【０１１４】
図１５は、本実施の形態の特殊画像処理モードにおける画像処理装置の処理手順を示すフローチャートである。なお、本実施の形態の画像処理装置の処理手順は、白黒カラー判別処理に関するステップＳ５５、圧縮処理に関するステップＳ６５〜ステップＳ６７を除き、第１の実施の形態の画像処理装置の処理手順と同様である。従って、ここではステップＳ５５、ステップＳ６５〜ステップＳ６７に関連するステップについてのみ説明を行い、その他のステップについては説明を省略する。
【０１１５】
まず、画像データＤ１、Ｄ２の読み取りから画像データＤ４の抽出まで（ステップＳ１０〜ステップＳ５０）、第１の実施の形態と同様の処理が行われる。
【０１１６】
ステップＳ５０において画像データＤ３から画像データＤ４が抽出されると、白黒カラー判別部４１８６は、画像データＤ４に対して、白黒画像を示すか、カラー画像を示すかを判別する白黒カラー判別処理を行う（ステップＳ５５）。
【０１１７】
次いで、画像データＤ４の画像処理（ステップＳ６０）は、第１の実施の形態と同様の処理が行われる。
【０１１８】
ステップＳ６０において画像データＤ４に対して画像処理が施されると、圧縮処理部４１４７は、白黒カラー判別処理により画像データＤ４はカラー画像である認識された場合には、画像データＤ４をＪＰＥＧ、ＰＮＧ等で圧縮する（ステップＳ６５でＹｅｓ、ステップＳ６６）。
【０１１９】
一方、圧縮処理部４１４７は、白黒カラー判別処理により画像データＤ４は白黒画像である認識された場合には、画像データＤ４を２値化する（ステップＳ６５でＮｏ、ステップＳ６７）。
【０１２０】
以下、画像データＤ１に対する画像データＤ４の付加から画像データＤ４が付加された画像データＤ１の出力まで（ステップＳ７０、ステップＳ８０）、第１の実施の形態と同様の処理が行われる。
【０１２１】
このように本実施の形態では、修正液が塗布された領域における修正前の情報の画像データがカラー画像であるか白黒画像であるかに応じて適切な圧縮処理が行われるため、修正液が塗布された領域における修正前の情報のデータの容量を効果的に削減して電子化することができる。
【０１２２】
なお、本実施の形態を、第２の実施の形態〜第４の実施の形態のいずれかの実施の形態と組み合わせるようにしてもよい。
【０１２３】
（第６の実施の形態）
次に、図１６を参照しながら、第６の実施の形態にかかる画像処理装置について説明する。本実施の形態にかかる画像処理装置は、報知処理を行う点で、第５の実施の形態（説明を省略した箇所については第１の実施の形態、以下同様）と相違する。従って本実施の形態では、第５の実施の形態との相違点の説明を主に行い、第５の実施の形態で既に説明した内容については説明を省略する。
【０１２４】
図１６は、本実施の形態の画像処理装置５１００の構成を示すブロック図である。画像処理装置５１００は、報知部５１７５が新たに備えられた点で、第５の実施の形態の画像処理装置４１００と相違する。なお、第５の実施の形態と同様の名称・符号を付した構成要素については、第５の実施の形態と同様の機能を有するものとし、その説明を省略する。
【０１２５】
本実施の形態では、図７に示す操作表示装置９や内部スピーカ装置１７が報知部５１７５として機能し、例えば、画像データＤ４が付加された画像データＤ１が出力される際に、画像データＤ１に付加された画像データＤ４がカラー画像である場合は、操作表示装置９が、「色文字の修正がありました、ハンコ等重要な情報か確認してください」と言うメッセージを表示したり、内部スピーカ装置１７が警告音を出力する。
【０１２６】
なお、画像データＤ４が白黒画像であるかカラー画像であるかの判別は、例えば、白黒カラー判別処理の判別結果（例えば、白黒：００００、カラー：１１１１のような特定のビット値）を画像データＤ１のヘッダ情報に付加して、画像データＤ１の出力時にこの情報をチェックすればよい。
【０１２７】
このように本実施の形態では、電子化された文書を印刷する際に、白黒カラー判別処理の判別結果に応じて、所定の事項をユーザに報知するため、ユーザに注意すべき項目があることを喚起することができる。特に、修正液が塗布された領域における修正前の情報の画像データがカラー画像である場合には、ハンコ等の色のついた重要な色文字情報であるか否か確認することをユーザに喚起することができる。
【０１２８】
（変形例）
なお、本発明は上述した各実施の形態に限定されるものではなく、以下に例示するような種々の変形が可能である。
【０１２９】
（変形例１）
上述した実施の形態においては、原稿の読み取りを片面ずつ行うＭＦＰに画像処理装置を適用した例について説明したが、本発明はこれに限定されるものではなく、以下に説明するように、原稿の読み取りを両面同時に行うＭＦＰに画像処理装置を適用することもできる。
【０１３０】
図１７は、変形例１のＭＦＰ１１００Ａを示す概略図である。なお、図１７では、原稿の読み取りに用いられるＣＣＤ方式スキャナの構成のみを示しており、複写機やファクシミリ等、ＭＦＰに搭載され得るその他の構成についての図示を省略している。
【０１３１】
ＭＦＰ１１００Ａの内部にはキセノンランプや蛍光灯で構成される露光量を任意に変化できる光源１１１１と露光を受ける白版１１１０とミラー１１１３とを備えた第１の走行体１１１２、ミラー１１１４、１１１６を備えた第２の走行体１１１５、レンズ１１１７、一次元の光電変換素子（例ではＣＣＤを利用する）１１１８と、シートスルードキュメントフィーダ（以下、「ＳＤＦ」と称する）ユニット１１０４と、原稿台１１０１が備えられている。
【０１３２】
以下、ＳＤＦユニット１１０４の説明を行う。
【０１３３】
まず、図示しないＣＰＵによってステッピングモータ１１０６が駆動される。これにより、原稿台１１０１にセットされた原稿１１００が、分離ローラ１１０２および搬送ローラ１１０５を介して第１の走行体１１１２の所定の読取位置まで一定速度で搬送される。
【０１３４】
そして、光源１１１１が、第１の走行体１１１２の所定の読取位置に停止した原稿の表面を露光し、その反射光がＣＣＤ１１１８により読み取られ、原稿表面の画像データが生成される。両面読み取り時には、原稿表面の読み込みが行われた後に、裏面読み取り用のランプ１１０８が原稿１１００の裏面を露光し、その反射光が図示しない密着センサにより読み取られ、原稿裏面の画像データが生成される。なお、特殊画像処理モードにおいては、光源１１１１は１ラインスキャンする毎に露光量ｈ１と露光量ｈ２を交互に変化させ、１ラインずつ各露光量で露光して画像データの読み取りを行う。
【０１３５】
これにより、原稿表面の画像データの読み取りと原稿裏面の画像データの読み取りとを自動化することができる。
【０１３６】
なお変形例１のＭＦＰ１１００Ａでは、光源が１つ設けられているが、複数の光源を設けたり、走行体を可動式にすることで、異なる露光量で順次露光して画像データの読み取りを行うようにしてもよい。
【０１３７】
（変形例２）
上述した実施の形態においては、修正痕領域Ｗの密度が原稿Ｄや切り貼り紙Ｐの密度よりも高いため、露光量ｈ２の照射光は、原稿Ｄおよび切り貼り紙Ｐを透過するものの、修正痕領域Ｗについては透過しないという特性を利用し（図３参照）、特定部１５０は、入力された画像データＤ２の濃度情報を取得し、飽和濃度に比べて値が低くなっている領域を修正痕領域として特定した。
【０１３８】
しかしながら、修正液の塗り方如何によっては、極めて密度の低い修正痕領域、即ち、露光量ｈ２の照射光を透過させてしまう修正痕領域が存在する可能性もある。
【０１３９】
従って、変形例２においては、修正痕領域をより正確に特定する修正痕領域特定処理について説明する。なお、以下の説明においては、露光量ｈ２で検知された領域であって、飽和濃度を有していない領域を「濃度差領域」と称する。また本変形実施の形態では、第１の実施の形態との相違点の説明を主に行い、第１の実施の形態で既に説明した内容については説明を省略する。
【０１４０】
以下、図１８〜図２１を参照しながら、本変形実施の形態にかかる修正痕領域特定処理について説明する。図１８は、本変形実施の形態の画像処理装置６１００における画像処理部６１４０の具体的な構成を示すブロック図であり、図１９は、本変形実施の形態にかかる修正痕領域特定処理を示すフローチャートであり、図２０は、濃度差領域検知部６１５１により検知された濃度差領域を画素単位で示す概略図であり、図２１は、修正痕領域特定部６１５２による比較対象画素の選択を示す概略図である。なお、図２０および図２１では、画像処理装置によって特定されるべき実際の修正痕領域を点線で示している。
【０１４１】
画像処理部６１４０は、特定部６１５０が、画像データＤ２に基づいて濃度差領域を検知する濃度差領域検知部６１５１と、濃度差領域検知部６１５１により検知された濃度差領域に基づいて修正痕領域を特定する修正痕領域特定部６１５２とを含む点で、第１の実施の形態の画像処理部１４０と相違する。なお、第１の実施の形態と同様の名称・符号を付した構成要素については、第１の実施の形態と同様の機能を有するものとし、その説明を省略する。
【０１４２】
図１９に示すように、濃度差領域検知部６１５１は、特殊画像処理モードの場合、画像データＤ２から濃度差領域Ａiを検知する（ステップＳ１００）。
【０１４３】
濃度差領域検知部６１５１により検知された濃度差領域Ａiは、図２０の斜線部の領域に対応し、露光量ｈ２で露光された修正痕領域Ｗのうちの高密度領域が濃度差領域Ａiとして検知される。一方、露光量ｈ２で露光された修正痕領域Ｗのうちの低密度領域は、露光量ｈ２の照射光を透過してしまうため、濃度差領域Ａiとして検知されない。従って、本変形実施の形態では、濃度差領域Ａiに基づいて修正痕領域Ｗの低密度領域を特定して、修正痕領域Ｗ全体を特定する。
【０１４４】
修正痕領域特定部６１５２は、濃度差領域検知部６１５１により検知された濃度差領域Ａiに含まれる画素であって、注目画素として未だ選択されていない任意の画素を注目画素Ｔとして選択する（ステップＳ１１０）。
【０１４５】
次いで、修正痕領域特定部６１５２は、選択された注目画素Ｔと隣り合う画素であって且つ濃度差領域Ａiに含まれない任意の画素を比較対象画素Ｔcとして選択する（ステップＳ１２０）。なお、濃度差領域Ａiは、修正痕領域Ｗに含まれるものとしてすでに特定されていることから、濃度差領域Ａiに含まれる画素が修正痕領域に含まれるか否かの判断を再度行う必要はない。この理由のため、上記したステップＳ１２０では、そのような処理を省略している。
【０１４６】
修正痕領域特定部６１５２は、比較対象画素Ｔcを選択すると、比較対象画素Ｔcの濃度Ｖcとピーク値Ｖとの比較がすでに終わっているか否かを判断する（ステップＳ１３０）。これにより、ピーク値Ｖと濃度Ｖcとの比較がすでに行われていた場合、比較対象画素Ｔcに対する重複した濃度比較処理を省略することができる。
【０１４７】
ここで、図２１を用いて、比較対象画素Ｔcの選択についてより具体的に説明する。本変形実施の形態において、注目画素Ｔに対して隣り合わせの画素とは、図２１に示される領域Ｓに含まれるものであり、例えば注目画素Ｔに対して左下にある画素Ｔcが該当する。つまり、比較対象画素Ｔcとなり得る画素は、注目画素Ｔを中心とした領域Ｓに含まれる注目画素Ｔ以外の８つの画素である。なお、上記したように、濃度差領域Ａiに含まれる画素は比較対象画素Ｔcとして選択されないので、図２１では、比較対象画素Ｔcとなり得る画素は５つに限定される（ステップＳ１２０）。また、それら５つの画素についても、それぞれの画素の濃度がすでにピーク値Ｖと比較されたか否かが判断されることから（ステップＳ１３０）、その結果によっては、比較対象画素Ｔcとなり得る画素がさらに限定される。
【０１４８】
なお、本変形実施の形態においては、上記したように、比較対象画素Ｔcとして、注目画素Ｔと隣り合わせの画素が選択される。しかしながら、本発明はこれに限定されず、例えば、注目画素Ｔを中心とした周囲２０個の画素のそれぞれを比較対象画素Ｔcとして選択してもよく、また、注目画素Ｔを中心とした所定の半径を有する円に含まれる画素を比較対象画素Ｔcとして選択してもよい。つまり、比較対象画素Ｔcとして、注目画素Ｔの周辺にある任意の画素を選択することができる。
【０１４９】
比較対象画素Ｔcの濃度Ｖcとピーク値Ｖとがすでに比較されている否かを判断した結果（ステップＳ１３０）、濃度Ｖcとピーク値Ｖとが比較されていた場合（ステップＳ１３０でＹｅｓ）、同じ注目画素Ｔと隣り合う画素であって、濃度差領域Ａiに含まれない、別の任意の画素を比較対象画素Ｔcとして選択する。一方、濃度Ｖcとピーク値Ｖとが比較されていなかった場合（ステップＳ１３０でＮｏ）、濃度Ｖcがピーク値Ｖ未満であるか否かが判断される（ステップＳ１４０）。
【０１５０】
その結果、比較対象画素Ｔcの濃度Ｖcがピーク値Ｖ以上であると判断された場合（ステップＳ１４０でＮｏ）、注目画素Ｔと隣り合う画素であって、濃度差領域Ａiに含まれないすべての画素を比較対象画素Ｔcとして選択したか否かが判断される（ステップＳ１６０）。
【０１５１】
一方、濃度比較を行った結果（ステップＳ１４０）、比較対象画素Ｔcの濃度Ｖcがピーク値Ｖ未満であった場合（ステップＳ１４０でＹｅｓ）、すなわち、比較対象画素Ｔcが地肌よりもより白かった場合、修正痕領域特定部６１５２は、比較対象画素Ｔcを修正痕領域の一部として特定する（ステップＳ１５０）。そして、注目画素Ｔと隣り合う画素であって、濃度差領域Ａiに含まれないすべての画素を比較対象画素Ｔcとして選択したか否かが判断される（ステップＳ１６０）。
【０１５２】
ステップＳ１６０の結果、該当するすべての画素が比較対象画素Ｔcとして未だ選択されていなかった場合（ステップＳ１６０でＮｏ）、注目画素Ｔと隣り合う画素であって、濃度差領域Ａiに含まれない別の画素を比較対象画素Ｔcとして新たに選択する（ステップＳ１２０）。そして、被選択画素に対する修正痕領域特定処理（ステップＳ１２０〜ステップＳ１６０）を繰り返す。一方、修正痕領域特定部６１５２は、該当するすべての画素が比較対象画素Ｔ該当するとして選択されていた場合（ステップＳ１６０でＹｅｓ）、濃度差領域Ａiに含まれるすべての画素を注目画素Ｔとして選択したか否かを判断する（ステップＳ１７０）。
【０１５３】
その結果、該当するすべての画素が注目画素Ｔとして選択されていなかった場合（ステップＳ１７０でＮｏ）、修正痕領域特定部６１５２は、同じ濃度差領域Ａiに含まれる画素であって、注目画素Ｔとして選択されていない別の画素を注目画素Ｔとして選択し（ステップＳ１１０）、その注目画素Ｔに対する修正痕領域特定処理（ステップＳ１１０〜ステップＳ１７０）を繰り返す。
【０１５４】
一方、濃度差領域Ａiに含まれるすべての画素を注目画素Ｔとして選択していた場合（ステップＳ１７０でＹｅｓ）、修正痕領域特定部６１５２は、すべての濃度差領域Ａiに対する修正痕領域特定処理（ステップＳ１１０〜ステップＳ１７０）が完了したか否かを判断する（ステップＳ１８０）。換言すると、例えば読み取り対象の原稿において複数の濃度差領域Ａ1およびＡ2が存在している場合、濃度差領域Ａ1およびＡ2のそれぞれに対する修正痕領域の特定が行われたか否かを判断する。
【０１５５】
すべての濃度差領域Ａiに対して修正痕領域特定処理が完了していなかった場合（ステップＳ１８０でＮｏ）、次の濃度差領域Ａj（ｊ≠ｉ）に含まれる画素であって、注目画素として選択されていない任意の画素を注目画素Ｔとして選択し、その新たな濃度差領域Ａjに対する修正痕領域特定処理を繰り返す。一方、すべての濃度差領域Ａiに対して修正痕領域特定処理がなされていた場合（ステップＳ１８０でＹｅｓ）、修正痕領域特定部６１５２は、特定された修正痕領域に関する情報を抽出部１４２、γ変換部１４３、地肌補正部１４５に送る。
【０１５６】
このように本変形実施の形態では、通常よりも強い露光量を用いた濃度差領域の特定処理に加え、特定された濃度差領域近傍の領域の濃度と地肌濃度とを比較するので、露光量の強さ故に修正痕領域として検知されなかった修正液の低密度領域についても、正確に修正痕領域として検知することができる。
【図面の簡単な説明】
【０１５７】
【図１】第１の実施の形態の画像処理装置の構成を示すブロック図である。
【図２】画像処理装置を用いたＭＦＰによる原稿読み取りに関連した構成を示す概略図である。
【図３】修正痕の領域特定に用いられる露光量を有した照射光による原稿の透過状態を示す概略図である。
【図４】修正痕の領域特定に用いられる露光量を用いて検知される濃度差領域を示す概略図である。
【図５】第１の実施の形態の画像処理部の構成を示すブロック図である。
【図６】第１の実施の形態の画像処理装置の処理手順を示すフローチャートである。
【図７】画像処理装置を用いたＭＦＰのハードウェア構成を示すブロック図である。
【図８】第２の実施の形態の画像処理部の構成を示すブロック図である。
【図９】第２の実施の形態の画像処理装置の処理手順を示すフローチャートである。
【図１０】第３の実施の形態の画像処理部の構成を示すブロック図である。
【図１１】第３の実施の形態の画像処理装置の処理手順を示すフローチャートである。
【図１２】第４の実施の形態の画像処理部の構成を示すブロック図である。
【図１３】第４の実施の形態の画像処理装置の処理手順を示すフローチャートである。
【図１４】第５の実施の形態の画像処理部の構成を示すブロック図である。
【図１５】第５の実施の形態の画像処理装置の処理手順を示すフローチャートである。
【図１６】第６の実施の形態の画像処理装置の構成を示すブロック図である。
【図１７】第６の実施の形態のＭＦＰの全体構成図である。
【図１８】変形例２の画像処理装置の構成を示すブロック図である。
【図１９】変形例２の修正痕領域特定処理を示すフローチャートである。
【図２０】実際の修正痕領域および濃度差領域をＣＣＤの画素と対応付けて示す説明図である。
【図２１】任意の注目画素に対する比較対象画素の選択に関する説明図である。
【符号の説明】
【０１５８】
１  読取り装置
２  画像データ処理装置
３  バス制御装置
４  ＨＤＤ
５  ＣＰＵ
６  メモリ
７  プロッタＩ／Ｆ装置
８  プロッタ装置
９  操作表示装置
１０  回線Ｉ／Ｆ装置
１１  外部Ｉ／Ｆ装置
１２  Ｓ.Ｂ.
１３  ＲＯＭ
１４  ＦＡＸ
１５  ＰＣ
１７  内部スピーカ装置
１００、１１００、２１００、３１００、４１００、５１００、６１００  画像処理装置
１１０  露光量調整部
１２０  露光部
１３０  読取部
１４０、１１４０、２１４０、３１４０、４１４０、６１４０  画像処理部
１４１  地肌濃度決定部
１４２  抽出部
１４３  γ変換部
１４４  フィルタ処理部
１４５  地肌補正部
１４６  変倍処理部
１４７、３１４７、４１４７  圧縮処理部
１４８、２１４８  付加部
１５０、６１５０  特定部
１５１、６１５１  濃度差領域検知部
１５２、６１５２  修正痕領域特定部
１６０  画像処理モード入力受付部
１７０  出力部
１７５、５１７５  報知部
１１８０  編集部
２１８２、３１８２  文字認識部
３１８４  文字絵柄判別部
４１８６  白黒カラー判別部
２００  ＭＦＰ
２１０  ＭＦＰ本体部
２１１  コンタクト・ガラス
２１２  原稿照明ランプ
２１３  第１のミラー
２１４  第２のミラー
２１５  第３のミラー
２１６  集光レンズ
２１７  ＣＣＤ
２２０  圧板
２２１  白板
１１００  原稿
１１００Ａ  ＭＦＰ
１１０１  原稿台
１１０２  分離ローラ
１１０４  ＳＤＦユニット
１１０５  搬送ローラ
１１０８  ランプ
１１１０  白版
１１１１  光源
１１１２  第１の走行体
１１１３、１１１４、１１１６  ミラー
１１１５  第２の走行体
１１１７  レンズ
１１１８  ＣＣＤ
１１０６  ステッピングモータ
Ａi  濃度差領域
Ｄ  原稿
Ｄ１、Ｄ２、Ｄ３  画像データ
Ｐ  切り貼り紙
Ｔ  注目画素
Ｔc  比較対象画素
Ｗ  修正痕領域
【図１】
2010010801.tif 000003
【図２】
2010010801.tif 000004
【図３】
2010010801.tif 000005
【図４】
2010010801.tif 000006
【図５】
2010010801.tif 000007
【図６】
2010010801.tif 000008
【図７】
2010010801.tif 000009
【図８】
2010010801.tif 000010
【図９】
2010010801.tif 000011
【図１０】
2010010801.tif 000012
【図１１】
2010010801.tif 000013
【図１２】
2010010801.tif 000014
【図１３】
2010010801.tif 000015
【図１４】
2010010801.tif 000016
【図１５】
2010010801.tif 000017
【図１６】
2010010801.tif 000018
【図１７】
2010010801.tif 000019
【図１８】
2010010801.tif 000020
【図１９】
2010010801.tif 000021
【図２０】
2010010801.tif 000022
【図２１】
2010010801.tif 000023